(57)【特許請求の範囲】
【請求項１】
釣竿本体の外周面に設けられ、魚釣用リールの前脚を受け入れる前方フードと、後脚を受け入れる後方フードと、前記前方フードと前記後方フードとの間に設けられる筒状のスペーサと、を備える魚釣用リールシートであって、
前記スペーサは、前記前方フードと前記スペーサとが接続する位置における前記スペーサの外径寸法が、前記後方フードと前記スペーサとが接続する位置における前記スペーサの外径寸法よりも大きく、
前記前方フードと接続する位置における前記スペーサの外径は、前記前方フードの前脚受入口の底面の外径と略同一である、ことを特徴とする魚釣用リールシート。
【請求項２】
前記スペーサは、前記前方フード側から前記後方フード側に向かって、その外径寸法が小さくなるように形成されている、ことを特徴とする請求項１に記載の魚釣用リールシート。
【請求項３】
前記スペーサの外表面に周方向に延びる溝を形成した、ことを特徴とする請求項１又は請求項２に記載のリールシート。
【請求項４】
前記スペーサの外表面の前後方向の中央付近にバンプが設けられている、ことを特徴とする請求項１又は請求項２に記載のリールシート。
【請求項５】
前記スペーサの外周面の側部に突起が設けられている、ことを特徴とする請求項１又は請求項２に記載のリールシート。
【請求項６】
請求項１ないし請求項５のいずれか１項に記載の魚釣用リールシートを備える釣竿。
【請求項７】
前記釣竿の外周面の前記スペーサと前記後方フードとの間にリングを備え、
前記リングは、その前端における外径がその後端における外径よりも小さくなるように構成されている、ことを特徴とする請求項６に記載の釣竿。
【請求項８】
請求項６又は請求項７に記載の釣竿と、
前脚及び後脚を有する魚釣用リールとを備える釣用具であって、
前記前方フードは、前記魚釣用リールの前脚を受け入れるように構成され、前記後方フードは、前記魚釣用リールの後脚を受け入れるように構成され、
前記スペーサは、前記魚釣用リールが取り付けられたときの前記支脚より後側における外径が当該支脚より前側における外径よりも小さくなるように形成されることを特徴とする釣用具。
【発明の詳細な説明】
【技術分野】
【０００１】
本発明は、魚釣用リールの脚部を固定する魚釣用リールシート及び当該魚釣用リールシートを備える釣竿に関する。
【背景技術】
【０００２】
魚釣用リールは、魚釣用リールシート（以下、簡単にリールシートともいう）を介して釣竿に固定される。例えば、特開２００９−６５８６８号公報（特許文献１）には、リール着座部と、当該リール着座部の一方の端部に取り付けられた固定フードと、当該リール着座部の他方の端部に釣竿の軸方向に移動自在に取り付けられた可動フードとを備えたリールシートが開示されている。このリールシートは、使用時には、リールシートに固定されたリールの支脚を中指と薬指（又は薬指と小指）の間に挟んだ状態で、各指で当該リールシートの表面を握りこむように把持される（特許文献１の図１参照）。
【０００３】
このリールシートのグリップ性を改善することが求められている。例えば、特開２０１１−２０５９４９号公報（特許文献２）では、リールシートの外表面に左右一組の凹部を形成し、さらにこの凹部を連絡する貫通孔を形成することにより、グリップ性を向上させることが提案されている。
【０００４】
また、特開２０１４−１１７２０９号公報（特許文献３）においては、リールシートの円筒状の主環部の外側に膨出部を設けることが提案されている。この膨出部は、釣竿にベイトリールが装着された状態で釣人がベイトリールを指で握ったときに、釣人の小指球に当接する位置に設けられている。
【０００５】
リールシートは、通常、中指と薬指（又は薬指と小指）との間にリールの支脚を挟んだ状態で、各指によってリールシートの表面を握りこむように把持されるので、釣り人がリールシート及びリールの脚部を把持したときにスペーサの後側には釣り人の小指が当接し、一方、スペーサの前側には釣り人の中指が当接する。従来のリールシートにおけるスペーサは、釣竿の軸方向にわたって概ね一定の外径を有しているので、スペーサの外径が比較的大きい場合には、中指でスペーサの外周面に力を加えやすい反面、小指でスペーサの外周面にうまく力を伝えることができない。つまり、この場合、スペーサの後側の部分は太すぎて小指で十分な力を加えづらい。これとは逆に、スペーサの外径が比較的小さい場合には、小指でスペーサの外周面に力を加えやすい反面、中指でスペーサの外周面にうまく力を伝えることができない。つまり、この場合、スペーサの前側の部分は細すぎて中指で十分な力を加えづらい、という課題があった。
【先行技術文献】
【特許文献】
【０００６】
【特許文献１】特開２００９−６５８６８号公報
【特許文献２】特開２０１１−２０５９４９号公報
【特許文献３】特開２０１４−１１７２０９号公報
【発明の概要】
【発明が解決しようとする課題】
【０００７】
本発明は、魚釣用リールシートを安定して把持するための新たな改良を提供する。本発明の他の目的は、本明細書全体を参照することにより明らかとなる。
【課題を解決するための手段】
【０００８】
本発明の一実施形態に係るリールシートは、釣竿本体の外周面に設けられ、魚釣用リールの前脚を受け入れる前方フードと、後脚を受け入れる後方フードと、前記前方フードと前記後方フードとの間に設けられる筒状のスペーサと、を備える。
【０００９】
本発明は、主に、このスペーサの形状に関する改良を提供する。本発明の一実施形態におけるスペーサは、前記前方フードと前記スペーサとが接続する位置における前記スペーサの外径寸法が、前記後方フードと前記スペーサとが接続する位置における前記スペーサの外径寸法よりも大きい。より具体的には、前記魚釣用リールが取り付けられたときの前記支脚より後側における外径が当該支脚より前側における外径よりも小さくなるように形成される。リールシートは、通常、中指と薬指（又は薬指と小指）との間にリールの支脚を挟んだ状態で各指でリールシートの表面を握りこむように把持されるので、釣り人がリールシート及びリールの脚部を把持したときにスペーサのうちリールの支脚より後側には釣り人の小指が当接し、一方、スペーサのうちリールの支脚より前側には釣り人の中指が当接する。従来のリールシートにおけるスペーサは、釣竿の軸方向にわたって概ね一定の外径を有しているので、スペーサの外径が比較的大きい場合には、小指でスペーサの外周面に力を加えやすい反面、中指でスペーサの外周面にうまく力を伝えることができない。つまり、この場合、スペーサのうち支脚より前側の部分は太すぎて中指で十分な力を加えづらい。これとは逆に、スペーサの外径が比較的小さい場合には、中指でスペーサの外周面に力を加えやすい反面、小指でスペーサの外周面にうまく力を伝えることができない。つまり、この場合、スペーサのうち支脚より後側の部分は細すぎて小指で十分な力を加えづらい。
【００１０】
これに対して、本発明の一実施形態におけるスペーサは、前方フードとスペーサとが接続する位置におけるスペーサの外径寸法が、後方フードとスペーサとが接続する位置におけるスペーサの外径寸法よりも大きくなるように形成されているので、中指が当接する部分が小指が当接する部分よりも太くなる。したがって、中指及び小指の両方でスペーサの外表面に十分な力を加えることができるので、グリップ性が改善されたリールシートを得ることができる。
【００１１】
本発明の一実施形態においては、前記スペーサの外表面に周方向に延びる溝が形成される。これにより、リールシートのグリップ性をさらに向上させることができる。
【００１２】
本発明の一実施形態においては、前記スペーサの外表面の前後方向の中央付近にバンプが設けられている。これにより、釣り人がリールシートを握ったときに、当該釣り人の掌のくぼみを当該バンプで支持することができるので、グリップ性をさらに向上させることができる。
【００１３】
本発明の一実施形態においては、前記スペーサの外周面の側部に突起が設けられる。これにより、釣り人がリールシートを握っているときに当該リールシートをその軸周りに回転させる外力が作用しても、釣り人は当該突起を指で押さえることにより、リールシートの姿勢（ひいては釣竿の姿勢）を維持することができる。
【００１４】
本発明の一実施形態においては、前記スペーサは、その前端が、前記魚釣用リールが取り付けられたときに、前記前脚の下面に当接するように形成される。これにより、前方フード及び後方フードだけでなくスペーサの一部も使って魚釣用リールを支持することができる。よって、当該実施形態によれば、魚釣用リールをより安定して保持することができる。
【００１５】
本発明の一実施形態における釣竿は、上述したいずれかの魚釣用リールシートを備える。また、本発明の一実施形態における釣竿は、前記竿部材の外周面の前記スペーサと前記後方フードとの間にリングをさらに備える。当該リングは、その前端における外径がその後端における外径よりも小さくなるように構成されている。これにより、スペーサの小径の後端と当該リングの前端との間の段差を小さくすることができるので、リールシートのグリップ性をさらに改善することができる。
【００１６】
本発明の一実施形態における釣用具は、前記釣竿と、前脚及び後脚を有する魚釣用リールとを備える。前記前方フードは、前記魚釣用リールの前脚を受け入れるように構成される。前記後方フードは、前記魚釣用リールの後脚を受け入れるように構成される。前記スペーサは、前記魚釣用リールが取り付けられたときの前記支脚より後側における外径が当該支脚より前側における外径よりも小さくなるように形成される。これにより、釣竿のグリップ性をさらに向上させることができる。なお、本発明の一実施形態において、釣用具とは、釣竿と魚釣用リールとを少なくとも備える魚釣用具を意味し、さらに他の部品を備えていてもよい。
【発明の効果】
【００１７】
本発明の実施形態により、リールシートを安定して把持するための様々な改良が提供される。
【図面の簡単な説明】
【００１８】
【図１】本発明の第一実施形態に係るリールシートを示す側面図
【図２】図１のリールシートを手で把持された状態を示す模式図
【図３】本発明の第二実施形態に係るリールシートを示す側面図
【図４】本発明の第三実施形態に係るリールシートを示す側面図
【発明を実施するための形態】
【００１９】
以下、本発明の様々な実施形態を添付図面を参照して説明する。なお、各図面において共通の構成要素には共通の参照符号が付されている。また、各図面は、説明の便宜上、必ずしも正確な縮尺で記載されているとは限らない点に留意されたい。
【００２０】
まず、図１を参照して本発明の第一実施形態に係るリールシートについて説明する。図１は、本発明の第一実施形態に係るリールシートを示す側面図である。図示のように、釣竿１は、細長い円筒状の竿部材２を備えている。この竿部材２の後端には、パッド３が設けられている。このパッド３よりもやや前方の竿部材２の外表面には、リールシート１０が設けられる。このリールシート１０には、魚釣用リール５（単に、「リール５」ということもある。）が着脱可能に装着される。
【００２１】
リール５は、その脚部６を介してリールシート１０に装着される。脚部６は、スプールやハンドルを備えたリール本体から延伸する支脚７と、当該支脚７の下端から前方に延伸する前脚８と、当該支脚７の下端から後方に延伸する後脚９と、を有する。リール５は、リールシート１０に装着可能なものである限り特定の構成に限定されるものではない。本発明においては、例えば、スピニングリール、両軸受型リール、及び片軸受型リール等の様々なリールをリール５として用いることができる。
【００２２】
リールシート１０は、前方フード１２と、後方フード１８と、スペーサ２０と、を備える。前方フード１２と後方フード１８とは別体に構成されており、竿部材２の軸方向に所定間隔離間した位置に配置される。
【００２３】
後方フード１８は、ほぼ円筒状の形状を有している。後方フード１８の内周面には雌ネジが形成されている。また、竿部材２の外周面のスペーサ２０の後方の位置には雄ネジが接着されている。後方フード１８は、その内周面の雌ネジ部が竿部材２に設けられた当該雄ネジ部と螺合するように設けられる。したがって、後方フード１８を竿部材２の軸周りで回転させることにより、当該後方フード１８は、その回転方向に応じて、前方フード１２に対して接近する方向又は離反する方向に移動する。後方フード１８は、典型的には、ナイロン、ポリエチレンテレフタレート、及びＡＢＳ樹脂等の硬質合成樹脂部材から射出成型により形成される。
【００２４】
竿部材２の外周面上の後方フード１８の取付位置から所定間隔前方に離間した位置には前方フード１２が固定される。前方フード１２は、例えば、接着材により竿部材２の外周面に接着される。前方フード１２は、ほぼ円筒状に形成される。前方フード１２は、釣り人の握り易さを考慮して、その外周面が釣竿１の穂先側から竿尻側に向かって若干拡径するように形成されてもよい。前方フード１２は、典型的には、後方フード１８と同様に硬質合成樹脂部材から射出成型により形成される。
【００２５】
前方フード１２の後端には、リール５の前脚８を受け入れる受入口１２ａが形成されている。また、固定フード１８の前端には、リール５の後脚９を受け入れる受入口１８ａ０が形成されている。
【００２６】
前方フード１２及び後方フード１８の材料、製法、及び形状等は、本明細書で明示されたものに限られず、本明細書で例示された態様には様々な変更が加えられ得る。例えば、前方フード１２及び／又は後方フード１８は、アルミ、ＳＵＳ、チタン等の金属から構成され得る。また、後方フード１８には、不図示の指掛け部（トリガー）を形成することもできる。トリガーは、特開２００５−４６１６２号公報等の様々な文献で開示されており、その具体的構成は当業者に明らかであるため、本明細書ではその詳細な説明は省略する。また、図１の実施形態では、後方フード１８が竿部材２に対して移動可能で前方フード１２が竿部材２に固定されているが、前方フード１２を竿部材２に対して移動可能とし後方フードを竿部材２に対して移動可能に構成しても良い。
【００２７】
リール５の装着時には、まず前方フード１２の受入口１２ａにリール５の前脚８の先端を挿入する。続いてリール５の後脚９の先端が後方フード１８の受入口１８ａに挿入されるように、後方フード１８を回転させて前方フード１２に近づく方向に移動させる。これにより、リール５の前脚８及び後脚９を前方フード１２内及び後方フード１８内にそれぞれ収容できる。このようにして、リール５をリールシート１０に装着することができる。
【００２８】
上述したように、元竿部材３の外周面の前方フード１２と後方フード１８との間にはスペーサ２０が設けられる。スペーサ２０は、中空の筒状に形成され、その内周面が竿部材２の外周面に固定される。スペーサ２０は、ＥＶＡやコルク等の柔軟性のある素材から形成されてもよいし、カーボンやＡＢＳ樹脂等の硬質の材料から形成されてもよい。これらの素材は例示に過ぎず、スペーサ２０の材料としては、本明細書において明示的に説明するもの以外にも様々な材料を用いることができる。
【００２９】
図１に示す通り、スペーサ２０は、前方フードとスペーサ２０とが接続する位置におけるスペーサ２０の外径寸法が、後方フードとスペーサ２０とが接続する位置におけるスペーサ２０の外径寸法よりも大きい。さらに、スペーサ２０は、リール５がリールシート１０に装着されたときに、当該リール５の支脚７より後側における外径が当該支脚７より前側における外径よりも小さくなるように形成される。例えば、図１に示すとおり、スペーサ２０は、その外径が前端において最大で後端において最小となるように構成される。スペーサ２０の外径は、図１に示すようにその後端から前端に向かって単純に減少してもよい。また、スペーサ２０は、その後端と前端との間で外径が一定になるプラトーを有していてもよい。好ましくは、スペーサ２０は、リール５がリールシート１０に装着されたときに、当該リール５の支脚７より後側における外径が当該支脚７より前側における外径よりも小さくなるように形成される。
【００３０】
本発明の第一実施形態において、リール５がリールシート１０に装着された状態において、スペーサ２０のその前端２０ａ側が、リール５の前脚８の下面に当接するように形成される。スペーサ２０のその前端２０ａ側は、前方フード部の受入口１８ａの底面と連続するように形成されている。これにより、前方フード１２及び後方フード１８だけでなくスペーサ２０の前端側の一部も使って魚釣用リールを支持することができるので、リール５はより安定的にリールシート１０に保持される。
【００３１】
また、本発明の一実施形態において、スペーサ２０と後方フード１８との間にはリング３０が設けられている。リング３０は、竿部材２の外周面に接着により固定されてもよい。このリング３０は、その前端における外径がその後端における外径よりも小さくなるように構成されている。これにより、スペーサ２０の後端の外径とリング３０との間の段差を小さくすることができるので、リールシート１０のグリップ性をさらに改善することができる。
【００３２】
リール５としてスピニングリールを用いる場合には、図２に示すように、釣り人は、典型的には、中指と薬指（又は薬指と小指）との間に当該リール５の支脚７を挟んだ状態で、リールシート１０を握りこむ。このようにリールシート１０が握られたときに、スペーサ２０の後側外径が前側外径よりも小さくなるように形成されているので、スペーサ２０の外径が比較的大きい部分に中指を当接させるとともに、スペーサ２０の外径が比較的小さい部分に小指を当接させることができる。このように、中指及び小指の両方でスペーサの外表面に十分な力を加えることができるので、優れたグリップ性を得ることができる。
【００３３】
図３は、本発明の第二実施形態に係るリールシートを示す側面図である。図３に示すリールシート１１０は、第一実施形態とは異なるスペーサ１２０を備えている。図３に示すリールシート１１０は、スペーサ以外は図１のリールシート１０と同様に構成される。図３のスペーサ１２０は、その外表面に周方向に延びる単数又は複数の溝１２０ａが形成されている。スペーサ１２０は、溝１２０ａの有無以外は、スペーサ２０と同様に構成される。
【００３４】
この溝１２０ａは、スペーサ１２０の外周面において、リールシート１１０を握った手の指（特に、中指、薬指、及び小指）が当接する位置に形成される。これにより、リールシート１１０を握った手の指が溝１２０ａに引っ掛かるので、指がリールシート１１０上を滑りにくくなる。このように、リールシート１１０は、より優れたグリップ性を奏する。
【００３５】
図４は、本発明の第三実施形態に係るリールシートを示す側面図である。図４に示すリールシート２１０は、第一、第二実施形態とは異なるスペーサ２２０を備えている。図４に示すリールシート２１０は、スペーサ以外は図１のリールシート１０と同様に構成される。図４のスペーサ２２０は、その前後方向の中央付近にバンプ２２０ａが設けられている。すなわち、このバンプ２２０ａは、スペーサ２２０の外周面において、リールシート２１０を握った掌のくぼみに当接する位置に形成される。このように、図４に示すリールシート２１０によれば、釣り人の掌のくぼみをバンプ２２０ａで支持することができるので、グリップ性をさらに向上させることができる。
【００３６】
本明細書で説明された各構成要素の寸法、材料、形状、及び配置は、実施形態中で明示的に説明されたものに限定されず、むしろ本発明の範囲に含まれうる任意の寸法、材料、形状、及び配置を有するように各構成要素を変形することができる。また、本明細書において明示的に説明した以外の構成要素を、説明した実施形態に付加することもできるし、各実施形態において説明した構成要素の一部を省略することもできる。
【００３７】
例えば、スペーサ２０、スペーサ１２０、スペーサ２２０の外周面の側部（例えば、リール５が取り付けられる位置から竿部材２の軸方向周りに約９０度回転した位置）には、単数又は複数の突起を設けることができる。これにより、釣り人がリールシートを握っているときに当該リールシートをその軸周りに回転させる外力が作用しても、釣り人は当該突起を指で押さえることにより、リールシートの姿勢（ひいては釣竿の姿勢）を維持することができる。
【符号の説明】
【００３８】
１  釣竿
２  竿部材
５  リール
７  支脚
８  前脚
９  後脚
１０、１１０、２１０  リールシート
１２  前方フード
１８  後方フード
２０、１２０、２２０  スペーサ
３０  リング
【図１】
0006608230.tif 000002
【図２】
0006608230.tif 000003
【図３】
0006608230.tif 000004
【図４】
0006608230.tif 000005